【手続補正書】
【提出日】平成20年7月23日(2008.7.23)
【手続補正１】
【補正対象書類名】明細書
【補正対象項目名】特許請求の範囲
【補正方法】変更
【補正の内容】
【特許請求の範囲】
【請求項１】  少なくとも１つのＨＴＭＬデータオブジェクトに関連付けられた基礎となるデータソースをアプリケーションプログラムへインポートするための代替ソースファイルに対して、前記アプリケーションプログラムをリダイレクトし、前記少なくとも１つのＨＴＭＬデータオブジェクトをインポートすることを実行するための、コンピュータシステム内に実装されたＨＴＭＬファイル形式であって、
ＨＴＭＬタグと、
複数のＨＴＭＬデータオブジェクトタグであって、ソースウェブサイトによって提供されるようにウェブページに表示されるＨＴＭＬデータオブジェクトに各ＨＴＭＬデータオブジェクトタグが関連付けられている複数のＨＴＭＬデータオブジェクトタグと、
前記ウェブページのＨＴＭＬファイル内の前記複数のＨＴＭＬデータオブジェクトタグのうち少なくとも１つに関連付けられたリダイレクト属性であって、ここで、前記ウェブページは、前記ソースウェブサイトによって提供されるように前記リダイレクト属性を含み、ここで、前記リダイレクト属性は、前記ソースウェブサイトを介してアクセス可能であり、前記少なくとも１つのＨＴＭＬデータオブジェクトに関連付けられた前記基礎となるデータソースが格納された前記代替ソースファイルを示す、リダイレクト属性と、
前記少なくとも１つのＨＴＭＬデータオブジェクトに関連付けられたリダイレクトフラグであって、ここで、前記リダイレクトフラグが使用不可でないとき、前記アプリケーションプログラムは前記リダイレクト属性によりリダイレクトされ、インポートのための前記少なくとも１つのＨＴＭＬデータオブジェクトの前記ウェブページを介した選択に対して前記基礎となるデータソースを前記代替ソースファイルから抽出し、ここで、前記リダイレクトフラグが使用不可であるとき、前記ＨＴＭＬデータオブジェクトは前記ウェブページから前記アプリケーションプログラムへインポートされる、リダイレクトフラグと
を有することを特徴とするＨＴＭＬファイル形式。
【請求項２】  前記リダイレクト属性は、前記基礎となるデータソースが格納されている位置を示す接続文字列を含むことを特徴とする請求項１に記載のＨＴＭＬファイル形式。
【請求項３】  前記接続文字列は、ユニフォームリソースロケータ（ＵＲＬ）を含むことを特徴とする請求項１に記載のＨＴＭＬファイル形式。
【請求項４】  ソースウェブサイトによって提供されるようにウェブページ中に表示される複数のＨＴＭＬデータオブジェクトに関連付けられた基礎となるデータソースを抽出するために、アプリケーションプログラムを代替ソースファイルにリダイレクトする方法であって、前記ＨＴＭＬデータオブジェクトは、ＨＴＭＬ形式で格納され、前記方法は、
複数のデータオブジェクトのうち少なくとも１つを選択するユーザコマンドを受信し、ウェブページからアプリケーションプログラムにインポートするステップと、
選択されたＨＴＭＬデータオブジェクトに関連付けられたＨＴＭＬデータオブジェクトタグを受信するステップと、
前記ＨＴＭＬデータオブジェクトタグがリダイレクト属性を含むかどうかを判定するステップであって、前記リダイレクト属性は、前記選択されたデータオブジェクトに関連付けられた基礎となるデータソースが格納される代替ソースファイルを識別する接続文字列を含む、ステップと、
前記ＨＴＭＬデータオブジェクトタグがリダイレクト属性を含む場合、前記選択されたデータオブジェクトに関連付けられたリダイレクトフラグが使用不可であるか否かを判定するステップと、
前記リダイレクトフラグが使用不可でない場合、
前記リダイレクト属性から前記接続文字列を抽出することと、
前記接続文字列によって識別される前記代替ソースファイルを開くことと、
前記基礎となるデータソースを抽出することと、
前記基礎となるデータソースを前記アプリケーションプログラムにインポートすることとを含むシーケンスを実行し、
前記ＨＴＭＬデータオブジェクトタグがリダイレクト属性を含まず、かつ、前記リダイレクトフラグが使用不可である場合、前記ＨＴＭＬデータオブジェクトを前記ウェブページから前記アプリケーションプログラムにインポートするステップと
を有することを特徴とする方法。
【請求項５】  前記ＨＴＭＬデータオブジェクトは、本質的にＴＡＢＬＥ、ＰＲＥ、ＸＭＰ、ＬＩＳＴＩＮＧおよびＰＬＡＩＮＴＥＸＴからなるリストから選択されることを特徴とする請求項４に記載の方法。
【請求項６】  前記接続文字列は、ユニフォームリソースロケータ（ＵＲＬ）を含むことを特徴とする請求項４に記載の方法。
【請求項７】  前記基礎となるデータソースは、前記少なくとも１つのＨＴＭＬデータオブジェクトのデータタイプを定義する基礎となるデータを有し、前記代替ソースファイルは、前記ウェブページから別々に格納された電子ファイルを有することを特徴とする請求項１に記載のＨＴＭＬファイル形式。
【請求項８】  前記リダイレクト属性は、前記少なくとも１つのＨＴＭＬデータオブジェクトタグ内に置かれ、それによって前記少なくとも１つのＨＴＭＬデータオブジェクトタグは、前記少なくとも１つのＨＴＭデータオブジェクトタグが代替位置に格納された基礎となるデータを関連付けたことを示すことを特徴とする請求項１に記載のＨＴＭＬファイル形式。
【請求項９】  前記ＨＴＭＬタグは、ネームスペース宣言を含むことを特徴とする請求項１に記載のＨＴＭＬファイル形式。
【請求項１０】  前記接続文字列は、前記基礎となるデータソースが格納された前記位置の少なくとも１つのアドレス及び前記基礎となるデータソースをどのように抽出するかの情報を含むデータ文字列を有することを特徴とする請求項２に記載のＨＴＭＬファイル形式。
【請求項１１】  前記代替ソースファイルは、
リモートサーバ上に格納された電子ファイル、
前記コンピュータシステムのローカルハードドライブ上に格納された電子ファイル
のうち１つを有することを特徴とする請求項１に記載のＨＴＭＬファイル形式。
【請求項１２】  前記基礎となるデータソースは、リッチテキスト形式で格納された基礎となるデータを有することを特徴とする請求項１に記載のＨＴＭＬファイル形式。
【請求項１３】  前記リッチテキスト形式は、ＸＭＬを有することを特徴とする請求項１２に記載のＨＴＭＬファイル形式。
【請求項１４】  前記基礎となるデータソースは、前記ＨＴＭＬデータオブジェクトのデータタイプを定義する基礎となるデータを有することを特徴とする請求項４に記載の方法。
【請求項１５】  前記基礎となるデータは、リッチテキスト形式で格納されていることを特徴とする請求項１４に記載の方法。
【請求項１６】  前記ソースウェブサイトによって提供されたように前記ウェブページはリダイレクト属性を含むことを特徴とする請求項４に記載の方法。
【請求項１７】  請求項４に記載の方法を実施するためのコンピュータ実行可能命令を有するコンピュータ読取り可能媒体。
【請求項１８】  代替位置に格納され、ＨＴＭＬ文書に表示されるＨＴＭＬデータオブジェクトに関連付けられた、基礎となるデータを抽出するために、コンピュータシステム上で実行するアプリケーションプログラムを代替位置へリダイレクトするための方法であって、ソースウェブサイトによって提供されるように前記ＨＴＭＬ文書はリダイレクト属性を含み、前記方法は、
前記アプリケーションプログラムへ前記ＨＴＭＬ文書からインポートするために前記ソースウェブサイトによって提供されるように前記ＨＴＭＬデータオブジェクトを選択するコマンドを受信するステップであって、前記ＨＴＭＬデータオブジェクトは前記ＨＴＭＬデータオブジェクトに関連付けられた基礎となるデータを排除するＨＴＭＬ形式に格納される、ステップと、
前記コマンドの受信に応えて、前記選択されたＨＴＭＬデータオブジェクトに関連付けられたＨＴＭＬデータオブジェクトタグを抽出するステップと、
前記ＨＴＭＬデータオブジェクトタグが前記リダイレクト属性を含むかどうかを判定するステップであって、前記リダイレクト属性は、
前記選択されたデータオブジェクトに関連付けられた基礎となるデータが格納される代替位置を識別するデータ文字列を含む、ステップと、
前記リダイレクト属性を含む前記ＨＴＭＬデータオブジェクトタグに応じて、前記選択されたＨＴＭＬデータオブジェクトに関連付けられたリダイレクトフラグが使用不可であるか否かを判定するステップと、
前記リダイレクトフラグが使用不可でない場合、
前記アプリケーションプログラムを前記リダイレクト属性で識別された前記代替位置へリダイレクトすること、
前記基礎となるデータを前記代替位置から抽出して前記基礎となるデータを前記アプリケーションプログラムへインポートするステップであって、ここで、前記基礎となるデータは前記ＨＴＭＬデータオブジェクトの元のデータタイプを定義し、それによって前記アプリケーションプログラムは前記ＨＴＭＬデータオブジェクトのデータセマンティクスを正確に解釈できる、ステップと
を含むシーケンスを実行するステップと
を有することを特徴とする方法。
【請求項１９】  前記シーケンスは、前記アプリケーションプログラムのエンドユーザにとって透過的であり、それによって、前記基礎となるデータは前記代替位置ではなく前記ＨＴＭＬ文書から抽出されたように見えることを特徴とする請求項１８に記載の方法。